(57)【要約】      （修正有）【課題】地球温暖化防止のため化石燃料の使用量削減を課題とし、雨水を電力に転換する装置を提供する。【解決手段】大面積の屋根から集水した雨水を一本の集中縦戸樋管に集中させ、水平回転装置のプロペラーを回転させプロペラーの回転軸の端部に市販の発電機を接続し、接続した発電機の容量能力による電力の生産を行う。雨水は降雨量が不規則であるため大量降雨時には地上にあらかじめ設置した地上貯水槽へ雨水を貯水し、地上貯水槽から排水量を調整放出することにより水平回転装置の長時間稼働が可能となり、水平回転装置稼働による発電持続時間の平準化運転へ進展させることができる。【選択図】図４
2007138912.tif 000002
【特許請求の範囲】
【請求項１】
雨水活用水平回転装置
雨水を集水し電力を生産するために雨水を直接活用する水平回転装置
自然の中からエネルギー源として雨水を採取活用し電力を生産する装置であり工場．倉庫等の大型建物の屋根に降る雨水を集水戸樋数本を集合し、集水して雨水量を多くまとめ、一本の集中戸樋に雨水を集中させ、集中した雨水を集中戸樋の排出口から、水平回転装置へ投入させ、水平回転装置のプロペラー部分へ集中し、雨水の落下重力でプロペラーを水平方向に回転させるための装置が上記水平回転装置なるものであり、水平回転装置の構造はプロペラーを水平上向きに固定枠内に固定し、プロペラーを水平方向に回転させた後の用済みの雨水が飛散もしくは流れ放題とならない様に使用後雨水の流れを整える整流水路槽とプロペラーのカバーとを兼ね備えた整流水路槽を一体のフレーム枠内に固定し、集水した雨水の落下重力で水平に回転するプロペラーの軸に市販の発電機を接続し、電力を生産するための動力源に雨水を活用する装置でありこの一連の装置は１．集水型戸樋．２．集中戸樋．３．水平回転装置からなる一連の関連装置であり、雨水集水型戸樋及び集中戸樋使用による雨水活用水平回転装置である。
【発明の詳細な説明】
【技術分野】
【０００１】本発明は従来の国内主要電力生産方法の問題点と化石燃料の使用量削減対策として自然エネルギー源の一つである雨水を採取し、採取した雨水を水平方向に回転させる回転体の回転動力として活用し、雨水を集水し集中させることにより雨水の落下重力を電力に転換させる水平回転装置を稼働させ回転させた水平回転装置の回転軸に市販の発電機を接続し小規模な電力を生産するプロペラー状の水平回転装置その構造及び電力を生産する仕組み雨水を電力に転換する装置である。
【背景技術】
【０００２】現在国内の電力生産における問題点．概略抜粋
１．化石燃料を大量に消費する火力発電は地球環境保全上確実に削減して行かなければならない。
２．現在最も低コストとされている原子力発電は燃料ウラン輸入価格不明、稼働時の安全性に不安を残し放射性廃棄物の完全処理不透明などの問題は多いが必要か。
３．化石燃料の代替エネルギーが大量供給されなければ化石燃料の使用量は減らない。
４．代替エネルギーとして太陽光．風力．等普及したが太陽光は雨天曇天時稼働率が課題であるがクリーン。風力は設置場所条件や天候に左右される。
５．ハイテク技術の燃料電池はクリーンではあるが代替エネルギーを必要とする。
【発明の開示】
【発明が解決しようとする課題】
【０００３】上述背景技術での問題点１．〜５．の問題を解決又は問題点が少しでも削減方向へ向かうには上記中最大の問題である化石燃料使用量を削減する方法化石燃料削減分に見合う代替エネルギーの生産が必要となるため、化石燃料に替わる植物系燃料や太陽光や風力以外の更なる自然エネルギー源の開発活用が至急の課題となっている。
【課題を解決するための手段】
【０００４】自然エネルギー雨水を電力エネルギーに転換する装置として水平回転装置を開発した、今まで降雨雨水は防災意識でのみ見られ、降雨は雨戸樋から直接可能な限り速やかに排水溝へ排水される設備が最良とされていた、この雨水、降雨が雨戸樋を通り排水溝から大地へと還ってしまうまでの間に一働きして頂く、雨水の力を電力に転換する装置として集水戸樋にて雨水を集中させた雨水の落下重力で水平回転装置を稼働させることにより代替消費エネルギーを必要としない電力を生産する。
【発明を実施するための最良の形態】
【０００５】本発明水平回転装置の回転軸に接続した市販の発電機の規模能力に応じた電力量の生産を実施し、現行化石燃料（石油．石炭．ＬＮＧ）使用の火力発電を極力削減し、火力発電削減分に充当すべく発電量（ｋｗ／ｈ）には及ばないものの、小規模発電（５〜１０ｋｗ／ｈ）を１カ所最小単位より始め、きめ細かく設置箇所を普及し、１箇所１基当たりの装置能力を技術改善し水平回転装置の能力を進化促進して行くことによりさらに効率の良い発電技術（自然エネルギーの電力への転換効率）及び効果が得られるものである、当初の発電効率の成果は低くともこの装置の能力改善により発電能力とその効果を進展させる事は可能である。【０００６】集水した雨水を貯水槽へ貯水を行う事はさらに雨水の活用効果を高めると共にこの装置の長時間稼働及び晴天時．曇天時の稼働を可能にするが、貯水槽貯水規模、大型貯水槽への貯水、貯水槽ビル等へと貯水設備規模を拡張し大型貯水槽から水平回転装置へ調整放水することにより水平回転装置の稼働時間の平準化運転を可能にする。
【産業上利用の可能性】
【０００７】水平回転装置は太陽光発電．風力発電に次ぐ第三の自然エネルギー源の一つである雨水の採取装置とその活用装置の開発発明であり雨水の効果的な活用により、化石然料使用による火力発電削減を補助し、石油の輸入量削減に寄与し、大きくは地球温化の進行を食い止める方策の一助となり地球の環境を守り美しい地球を後世に引き継いでゆく手段のひとつとして下記の効果がある。
【発明の効果】
【０００８】１．この発明水平回転装置使用による雨水を活用する小規模発電装置は電力需要地近辺都市部山間部を問わず設置出来る事が特徴であり送電ロスは少ない。
２．雨水活用水平回転装置は環境を汚染せずエネルギーも消費しない自然エネルギー採取活用による電力生産装置である。
３．雨水を活用した水平回転装置は集水する建物の平米数屋根面積により装置の規模は自由に設定が可能である。
４．水平回転装置一基あたりの発電量は少ないが設置数設置箇所を増やし設置可能場所へ多数基設置する事により発電量の増量は可能である。
５．水平回転装置使用雨水活用により生産された電力相当分化石燃料使用量を削減することが出来る。
【図面の簡単な説明】
【０００９】
【図１】  従来型  放水専用戸樋  垂直正面図
【図２】  雨水集水型戸樋  垂直正面図
【図３】  雨水集水型戸樋  貯水槽水平回転装置関連垂直正面図
【図４】  水平回転装置  全体斜視図
【図５】  水平回転装置平面中心部Ｂ−Ｂ断面
【図６】  水平回転装置平面図
【符号の説明】
【００１０】  １．従来型放水専用戸樋の排水用縦管
２．雨水集水型戸樋垂直正面集水戸樋管
３．貯水槽設置正面
４．集中戸樋縦垂直管水平回転装置への配管．及び貯水槽への配管
５．貯水槽メンテナンス用安全枠付きモンキータラップ
６．雨水集水型戸樋から水平回転装置及び貯水槽への垂直管フィルター
７．水平回転装置本体フレーム
８．水平回転装置内プロペラー羽根
９．水平回転装置内プロペラーアーム
１０．水平回転装置内排水の整流水路槽兼プロペラー部分のカバー
１１．水平回転装置内排水槽からのドレーン及び地下貯水槽への配管
１２．水平回転装置回転軸
１３．水平回転装置最上段軸受け
１４．水平回転装置中間軸受け
１５．水平回転装置下段軸受け
１６．水平回転装置軸底部軸受け
１７．水平回転装置オイルシール
１８．軸回転力取り出し軸
１９．フレーム上部の軸受けピローブロック
２０．フレーム下部の軸受けピローブロック
【図１】
2007138912.tif 000003
【図２】
2007138912.tif 000004
【図３】
2007138912.tif 000005
【図４】
2007138912.tif 000006
【図５】
2007138912.tif 000007
【図６】
2007138912.tif 000008